(57)【特許請求の範囲】
【請求項１】
内部を流通する空気のための入口流通路及び出口流通路に接続されている真空源を備える真空掃除機であって、
塵除け具に静電気を帯びさせるための帯電手段と、
前記塵除け具のためのホルダと、をさらに備え、
前記ホルダが部屋を備え、前記塵除け具は選択的に帯電及び清浄化されるように少なくとも部分的に前記部屋に挿入できるようになっており、
前記部屋が、少なくとも１つの空気入口と、少なくとも１つの出口とを備え、前記出口が前記入口流通路と選択的に接続されるように配置されており、前記塵除け具を振動させることによって前記塵除け具を帯電及び清浄化させるために、前記流通路を通る空気流を生じさせることができるようになっている、
ことを特徴とする真空掃除機。
【請求項２】
前記ホルダが前記帯電手段を形成する、請求項１に記載の真空掃除機。
【請求項３】
前記部屋が、前記出口を前記入口流通路と選択的に接続させるための弁を備え、該弁が前記塵除け具によって作動できるようになっている、請求項１又は請求項２に記載の真空掃除機。
【発明の詳細な説明】
【０００１】
本発明は、内部を流通する空気のための入口流通路及び出口流通路に接続されている真空源を有した真空掃除機のための装置に関する。
【０００２】
真空掃除機は、従来型の床用ノズルによって床から埃及び汚れの粒子を除去するために使用されるものである。さらに、家具、棚その他のタイプの物品から埃及び汚れを除去するための様々な付属品が公知となっている。これらの付属品は、通常、ブラシノズルを含んでおり、このブラシノズルは真空掃除機の管の柄上に配置される。管の柄は、可撓性のホースを介して、真空掃除機ハウジングに接続されている。しかしながら、このブラシノズルは、結合されているホース及び管の柄と共に、傷つきやすい物品が密集して収納されている棚その他の表面を掃除するために使用するにはあまりに扱いにくく繊細さに欠けると考えられることが多い。これらの代わりに、このような表面を掃除するためには、塵除けほうき又は毛ぼうきが使用される。
【０００３】
毛ぼうきは、多数の軽くて柔らかい繊維及び／又は糸形状要素を備えており、これら繊維や糸形状要素が物体に接触したときに曲がって、掃除される物品の間に届き、さらに多少はその周囲を取り囲むようになっているという利点を有している。毛ぼうき及びある種の塵除けほうき、いわゆる超極細繊維ほうきは、使用されるときに静電気を帯びるように設計されている。このことは、埃粒子が、表面から除去されたときに毛ぼうき又は超極細繊維ほうきに付着することを意味している。しかしながら、このタイプの毛ぼうき又は超極細繊維ほうきに関する不利点は、有効な埃の除去を実現するのに十分なほど静電荷が大きくないことである。毛ぼうき並びに全ての種類の塵除けほうきに関する別の不利点は、操作者が、頻繁に、塵除けほうきに付着した埃を遊離させるように毛ぼうき又は塵除けほうきを震わせることができる場所まで行かなくてはならないことである。
【０００４】
本発明は、物品から埃を除去する能力を向上させるために、毛ぼうき又は塵除けほうきを簡単な方法で静電気帯電させると同時に、毛ぼうき又は塵除けほうきを掃除（清浄化）するようにした、真空掃除機と共に毛ぼうき又は超極細繊維ほうきを使用するためのシステムに向けたものである。本発明によれば、２つの段階、すなわち、真空吸引掃除段階及び塵除け掃除段階が、組み合わされた合理的な作業に一体化される。
【０００５】
本発明のこれらの特徴及び他の特徴は以下の説明及び図面を参照することにより明らかとなる。
【０００６】
図１に示されている真空掃除機１０は、真空源１２、好ましくはモータファンユニットを備えた真空掃除機ハウジング１１を有しており、真空源１２は分離容器１３と連通している。分離容器１３は、空気透過性の袋１４と、サイクロン分離器又は同種のものとを取り囲んでおり、サイクロン分離器内で、埃を含んだ空気の流れから埃及び汚れの粒子を分離する。埃を含んだ空気の流れは、ノズル１５から、管シャフト１６、管の柄１７及びホース１８を経て、分離容器１３に流入する。したがって、最後に述べた各部分１５、１６、１７、１８及び１３は埃を含んだ空気のための入口流通路を形成している。流れの方向に見てモータファンユニットの後に位置する空気通路は、清浄化された空気が大気に入るための出口流通路を形成している。
【０００７】
管シャフト１６は、管の柄１７の近傍に、毛ぼうき２０のためのホルダ１９を支持している。ホルダ１９は好ましくは筒状の部屋２１を形成している。筒状の部屋２１は、その上側壁部分に、接線方向に向いた複数の空気入口２２を有し、下側壁部分に付加的な空気入口２３を有している。さらに、ホルダ１９は、閉鎖された底部分２４と、天井部分２５とを有している。天井部分２５は中央開口部２６を有しており、この中央開口部２６を通して毛ぼうき２０をホルダ１９内に挿入することができる。
【０００８】
ホルダ１９及び毛ぼうき２０は、毛ぼうきの柔らかい糸及び／又は繊維が、互い及びホルダの側壁に擦りつけられたときに静電気を帯びるような材料から作製されていることが好ましい。
【０００９】
管シャフト１６とホルダ１９との間には出口２７があり、空気は出口２７を通って部屋２１から管シャフト１６へ流入することができる。通常の真空吸引掃除作業の際には、出口２７は、ヒンジ２９により回転可能に支持されているカバー２８によって閉じられている。カバー２８はフラップ３０と接続されている。フラップ３０は、通常の真空吸引掃除作業の際に、空気が管シャフト１６を通って流れることを妨げることはない。カバー２８はバネ３１の影響を受けており、バネ３１はカバー２８を閉鎖位置に付勢している。カバーは、さらに、毛ぼうきの作用を受ける延長フランジ３２を備えている。
【００１０】
本装置は以下のようにして動作する。通常の真空吸引掃除作業の際には、毛ぼうきはホルダ内に一部を挿入された位置で収容されている。一部を挿入された位置では、毛ぼうき２０はフランジ３２と係合しない。このことは、埃を含んだ空気が管シャフト１６を通ってノズル１５から真空源１２に自由に流れ得ることを意味する。操作者が毛ぼうき２０を使用するべき場所に来ると、毛ぼうきがホルダ１９から引き抜かれ、塵除け作業が行われる。その後、毛ぼうきを再度ホルダ１９内に挿入する。
【００１１】
操作者は毛ぼうきをホルダ内に部分的に挿入することを選択することができる。このことは、毛ぼうきが掃除（清浄化）されず、前と同じように真空吸引掃除が行われ得ることを意味する。あるいはまた、操作者は毛ぼうきをホルダ内に完全に挿入することを選択することもできる。毛ぼうきがホルダ１９内に完全に挿入されると、毛ぼうき２０はその移動の際にフランジ３２に作用し、カバー２８、よってフラップ３０が、出口２７を開放するために、図２に示されている位置にヒンジ２９を中心として時計回りに回転させられる。真空掃除機がこのときに作動させられると、空気は空気入口２２及び２３から部屋２１、さらに出口２７を通り管シャフト１６の上側部分へ吸い込まれ、その後、管の柄及びホースを通って袋１４へ吸い込まれる。
【００１２】
こうして、部屋を通って流れる空気は、毛ぼうきから埃を除去し、同時に柔らかく細い糸及び／又は繊維を有した毛ぼうきを震わせる。したがって、毛ぼうきによって収集された埃は空気の流れによって吸い上げられ、その後、袋１４内で分離される。同時に、糸及び／又は繊維は、震わされたときに周囲の壁に擦りつけられるので、静電気を帯びる。その後、毛ぼうきがホルダから一部を取り出されることができる。このことは、カバー２８が閉鎖され、部屋を通る空気の流れが終わることを意味する。その後、毛ぼうきは再度使用される準備が整ったことになる。
【００１３】
毛ぼうきの糸及び／又は繊維は、周囲の壁の材料と異なる材料によって作製されるべきである。毛ぼうきの高い静電気帯電性を実現するために、異なる材料がいわゆる摩擦電気列において互いから大きく離れるように、材料の選択がなされる。
【００１４】
上述した実施形態は毛ぼうきを掃除（清浄化）するための方法を記載しているとはいえ、超極細繊維ぼうきを掃除するために同じ方法を使用することができる。さらに、ホルダ１９、部屋２１及び開口部２６を塵除けほうきの形状に適合させると共に、真空吸引掃除作業及び帯電作業の際に塵除けほうきを真空掃除機に固定するための手段をホルダ又は塵除けほうきに設けることが適切であることはもちろんである。
【００１５】
ホルダは操作者の手の近くに設置されることが好ましいが、真空掃除機上の適宜の場所に配置されることも可能であることはもちろんである。弁の機能に関し、代わりに、直接的な手動動作又は他の手段によって弁を作動させることができる。さらに、掃除作業の際に塵除けほうき又は毛ぼうきを震わせるために作動させられ得るある種の電気又は空気（圧）的に駆動される手段を真空掃除機に設けることも可能である。また、毛ぼうき又は超極細繊維ほうきに静電気を帯びさせるために、通常は電気的に駆動される帯電手段を使用することは、本発明の範囲内のことである。
【００１６】
上述した実施形態がいわゆる密閉真空掃除機に関するものであるとはいえ、上記実施形態はいわゆる直立真空掃除機においても同様に使用され得ることにも言及しておかなくてはならない。
【００１７】
毛ぼうきが使用される場合には、毛ぼうきは入れ子式シャフトを備えることが好ましく、この入れ子式シャフトによって、シャフトの長さが実際の使用に適するように調整され得る。
【００１８】
いわゆるサイクロン真空掃除機、すなわち掃除及び／又は帯電段階の際に旋風作用によって筒状の部屋において空気の流れから埃を分離させる真空掃除機のための毛ぼうき又は塵除けほうき用ホルダとして筒状の部屋を使用することも可能である。
【図面の簡単な説明】
【図１】  本発明による装置を備えた真空掃除機を示している略側面図である。
【図２】  本発明の装置の垂直方向断面図である。
【図１】
0004663946.tif 000002
【図２】
0004663946.tif 000003